(57)【要約】      （修正有）【課題】既設管の平面形状が湾曲している場合に、既設管内に配置される更生管を矯正する方法を提供する。【解決手段】平面形状が湾曲した既設管１の内側に更生管２が配置され、更生管２が既設管１の湾曲部の中心軸線方向から水平方向に偏倚し、断面形状が縦長の楕円をなしている。この状態で裏込め材を充填する前に、更生管２の位置および断面形状を矯正する。第１支保工設置工程では、第１ジャッキ１５を備えた伸縮可能な第１支保工１０を水平姿勢で更生管２内に設置する。この設置状態で、第１支保工１０が、更生管２の一方の側壁部（既設管１の中心軸線遠い方の側壁部）を貫通する。第１支保工１０の一端が既設管の一方の側壁面に当たり、他端が更生管２の他方の側壁部に、腹起し部材３を介して当たる。次に、第１支保工１０を伸ばして更生管２の他方の側壁部を押し、更生管２の中心軸線を既設管１の中心軸線と一致させ、断面を楕円から元の円形に戻す。【選択図】図３
2020090878.tif 000002
【特許請求の範囲】
【請求項１】
平面形状が湾曲した既設管の内側に更生管が配置され、前記更生管が前記既設管の湾曲部の中心軸線から水平方向に偏倚した状態において、前記既設管と前記更生管との間に裏込め材を充填する前に、前記湾曲部における前記更生管の位置を矯正する方法であって、
第１ジャッキを備えた伸縮可能な第１支保工を水平または傾斜した姿勢で前記更生管内に設置し、この設置状態で、前記第１支保工が、前記更生管において水平方向に対峙する一対の側壁部のうち前記既設管の中心軸線から遠い一方の側壁部を貫通し、前記第１支保工の一端が前記一方の側壁部に対峙する前記既設管の一方の側壁面に当たり、前記第１支保工の他端が前記更生管における前記一対の側壁部のうちの他方の側壁部に、前記更生管の軸線方向に延びる腹起し部材を介して当たる第１支保工設置工程と、
次に、前記第１ジャッキにより前記第１支保工を伸ばすことにより、前記更生管の前記他方の側壁部を押して前記既設管の他方の側壁面に向かって移動させ、これにより前記更生管の中心軸線を上方から見て前記既設管の中心軸線と一致させるか近づける矯正工程と、
を備えたことを特徴とする更生管矯正方法。
【請求項２】
前記更生管の前記一方の側壁部が前記既設管の前記一方の側壁面に当り、前記更生管の断面形状が縦長の楕円に変形している状態で、前記矯正工程を実行することにより、前記更生管の断面形状を元の円または円に近い形状に戻すことを特徴とする請求項１に記載の更生管矯正方法。
【請求項３】
さらに前記矯正工程に続いて、
第２ジャッキを備えた伸縮可能な第２支保工を、前記第１支保工と交叉するようにして垂直または傾斜した姿勢で前記更生管内に設置し、この設置状態で、前記第２支保工が前記更生管の上壁部を貫通し、前記第２支保工の上端が前記既設管の上壁面に当たり、前記第２支保工の下端が前記更生管の底壁部に、前記更生管の軸線方向に延びる他の腹起し部材を介して当たり、前記第１支保工と前記第２支保工がクランプにより連結される第２支保工設置工程
を備えたことを特徴とする請求項１または２に記載の更生管矯正方法。
【請求項４】
前記第１支保工が水平に配置され、前記第２支保工が垂直に配置され、
さらに、前記第２支保工設置工程に続いて、
前記第１ジャッキにより前記第１支保工を徐々に縮めながら、前記第２ジャッキにより前記第２支保工を伸ばすことにより、前記更生管の底壁部を前記既設管の底壁面に押し付け、前記更生管の断面形状を縦長の楕円形状にする更生管底壁部固定工程と、
前記第１ジャッキをさらに縮めて前記第１支保工による前記更生管の拘束を解除し、前記クランプによる前記第１支保工と前記第２支保工の連結状態を解除して前記第１支保工を下方に移動させることにより、前記更生管の断面形状を元の円または円に近い形状に戻す更生管形状復元工程と、
前記第１支保工の前記一端を前記既設管の前記一方の側壁面に当てるとともに、前記第１ジャッキにより前記第１支保工を伸ばして、前記第１支保工の前記他端を前記腹起し部材を介して前記更生管の前記他方の側壁部に当てる更生管補強工程と、
を備えたことを特徴とする請求項３に記載の更生管矯正方法。
【請求項５】
前記クランプの前記第１支保工を把持する第１把持部と前記第２支保工を把持する第２把持部が相対回動可能であり、前記第１支保工設置工程において前記第１支保工が水平に設置され、前記第２支保工設置工程において前記第２支保工が垂直に設置され、
さらに、前記第２支保工設置工程に続いて、
前記第１ジャッキにより前記第１支保工を徐々に縮めながら、前記第２ジャッキにより前記第２支保工を伸ばすことにより、前記更生管の底壁部を前記既設管の底壁面に押し付け、前記更生管の断面形状を縦長の楕円形状にする更生管底壁部固定工程と、
前記第１支保工を前記クランプを中心に回動させるとともに前記第１ジャッキにより長さを調節ことにより、前記第１支保工の前記一端を前記クランプより高い位置で前記既設管の前記一方の側壁面に当てるとともに、前記更生管の前記他端を前記クランプより低い位置で前記腹起し部材を介して前記更生管の前記他方の側壁部に当て、これにより、前記更生管を元の円または円に近い形状に戻すとともに前記更生管を補強する更生管形状復元・補強工程と、
を備えたことを特徴とする請求項３に記載の更生管矯正方法。
【請求項６】
前記第１支保工設置工程において、前記第１支保工が水平面に対して４５°未満の角度で傾斜して配置され、前記第１支保工の前記一端が前記更生管の中心軸線より高い位置で前記既設管の前記一方の側壁面に当り、前記第１支保工の前記他端が前記更生管の中心軸線より低い位置で前記腹起し部材を介して前記更生管の前記他方の側壁部に当り、
前記第２支保工設置工程において、前記第２支保工が垂直面に対して４５°未満の角度で傾斜するとともに前記第１支保工と直交する姿勢で設置されることを特徴とする請求項３に記載の更生管矯正方法。
【請求項７】
既設管とこの既設管の内側に配置された更生管との間に裏込め材を充填する前に、前記更生管内に設置される支保工装置において、
第１ジャッキを備えた水平の第１支保工と、第２ジャッキを備えた垂直の第２支保工と、前記第１支保工と前記第２支保工を連結するクランプとを備え、
前記第１支保工が前記更生管において水平方向に対峙する一対の側壁部のうちの一方の側壁部を貫通し、前記第１支保工の一端が前記一方の側壁部と対峙する前記既設管の一方の側壁面に当り、前記第１支保工の他端が前記更生管の他方の側壁部に、前記更生管の軸線方向に延びる腹起し部材を介して当たり、
前記第２支保工が前記更生管の上壁部を貫通し、前記第２支保工の上端が前記既設管の上壁面に当り、前記第２支保工の下端が前記更生管の底壁部に、前記更生管の軸線方向に延びる他の腹起し部材を介して当たっていることを特徴とする更生管用支保工装置。
【請求項８】
前記第２支保工の下端が前記更生管の底壁部を前記既設管の底壁面に押し付けて固定していることを特徴とする請求項７に記載の更生管用支保工装置。
【請求項９】
既設管とこの既設管の内側に配置された更生管との間に裏込め材を充填する前に、前記更生管内に設置される支保工装置において、
第１ジャッキを備え水平面に対して傾斜した第１支保工と、第２ジャッキを備えた垂直の第２支保工と、前記第１支保工と前記第２支保工を連結するクランプとを備え、
前記クランプは、前記第１支保工を把持する第１把持部と前記第２支保工を把持する第２把持部を有し、前記第１把持部と前記第２把持部が相対回動可能であり、
前記第１支保工が前記更生管において水平方向に対峙する一対の側壁部のうちの一方の側壁部を前記クランプより高い位置で貫通し、前記第１支保工の一端が前記クランプより高い位置で前記一方の側壁部と対峙する前記既設管の一方の側壁面に当り、前記第１支保工の他端が前記クランプより低い位置で前記更生管の他方の側壁部に、前記更生管の軸線方向に延びる腹起し部材を介して当たり、
前記第２支保工が前記更生管の上壁部を貫通し、前記第２支保工の上端が前記既設管の上壁面に当り、前記第２支保工の下端が前記更生管の底壁部に、前記更生管の軸線方向に延びる他の腹起し部材を介して当たっていることを特徴とする更生管用支保工装置。
【請求項１０】
既設管とこの既設管の内側に配置された更生管との間に裏込め材を充填する前に、前記更生管内に設置される支保工装置において、
第１ジャッキを備え水平面に対して４５°未満の角度で傾斜した第１支保工と、第２ジャッキを備え垂直面に対して４５°未満の角度で傾斜するとともに前記第１支保工と直交する第２支保工と、前記第１支保工と前記第２支保工を連結するクランプとを備え、
前記第１支保工は、前記更生管において水平方向に対峙する一対の側壁部のうちの一方の側壁部を、前記クランプより高い位置で貫通し、前記第１支保工の一端が前記クランプより高い位置で前記既設管の一方の側壁面に当り、前記第１支保工の他端が前記クランプより低い位置で前記更生管の他方の側壁部に、前記更生管の軸線方向に延びる腹起し部材を介して当たり、
前記第２支保工は、前記更生管の上壁部を貫通し、前記第２支保工の上端が前記既設管の上壁面に当たり、前記第２支保工の下端が前記更生管の底壁部に、前記更生管の軸線方向に延びる腹起し部材を介して当たっていることを特徴とする更生管用支保工装置。
【発明の詳細な説明】
【技術分野】
【０００１】
本発明は、老朽化した既設管とこの既設管の内側に配置された更生管との間に裏込め材を充填する前に、更生管の位置や断面形状を矯正する方法、およびこの方法を実行可能な更生管用支保工装置に関する。
【背景技術】
【０００２】
老朽化した下水道管等の既設管を更生するために、更生管を既設管の内側に配置することは知られている。既設管と更生管との間にはモルタル等の裏込め材が充填されるが、この裏込め材の充填前に、更生管には更生管の軸線方向に間隔をおいて支保工装置が設置される。
【０００３】
特許文献１の支保工装置は、環状のフレームと、このフレームに周方向に間隔をおいて支持された複数のジャッキとを有している。隣り合う支保工装置のジャッキ間には腹起し部材が架け渡されている。ジャッキにより腹起し部材が更生管の内面に押し当てられている。最上位のジャッキのねじ棒は更生管の上壁部を貫通して既設管の上壁面に当てられている。
【０００４】
裏込め材の充填時に、更生管に働く径方向内方向の圧力を腹起し部材で受け止めるため、更生管の変形を防止することができる。また、最上位のジャッキのねじ棒が既設管の上壁面に当っているので、更生管の浮き上がりも防止することができる。
【０００５】
環状のフレームを用いずに、ジャッキにより伸縮可能な長尺の水平支保工と垂直支保工をクランプで連結した支保工装置も公知である。垂直支保工は更生管の上壁部を貫通し、その上端が既設管の上壁面に当たり、その下端が更生管の底壁部に腹起し部材を介して当たっている。水平支保工の両端は、更生管の左右の側壁部に腹起し部材を介して当たっている。水平支保工と垂直支保工により裏打ち材充填時の更生管の変形を防止するとともに、垂直支保工により更生管の浮き上がりを防止している。
【先行技術文献】
【特許文献】
【０００６】
【特許文献１】特開平１０−１２１５６５号公報
【発明の概要】
【発明が解決しようとする課題】
【０００７】
既設管の平面形状が湾曲している場合（上から見て湾曲している場合）、更生管はその湾曲形状に倣わず、真直状態を維持しようとして既設管の中心軸線から左右方向に偏倚してしまう。既設管の湾曲度が大きい場合には、更生管が既設管の一方の側壁面に押し付けられ、その断面形状が元の円から縦長の楕円に変形することもある。
更生管が既設管に対して水平方向に偏倚していると裏打ち材の左右の厚みが不均一になるため強度の低下を招く。また更生管の断面形状が楕円に変形したまま裏打ち材が充填されると流通断面積が減じられる。
特許文献１の環状フレームを備えた支保工装置や、上述の長尺の支保工を備えた支保工装置では、このような更生管の水平方向の偏倚や断面形状の変形を矯正する機能はない。
【課題を解決するための手段】
【０００８】
本発明は前記課題を解決するためになされたものであり、平面形状が湾曲した既設管の内側に更生管が配置され、前記更生管が前記既設管の湾曲部の中心軸線から水平方向に偏倚した状態において、前記既設管と前記更生管との間に裏込め材を充填する前に、前記湾曲部における前記更生管の位置を矯正する方法であって、
第１ジャッキを備えた伸縮可能な第１支保工を水平または傾斜した姿勢で前記更生管内に設置し、この設置状態で、前記第１支保工が、前記更生管において水平方向に対峙する一対の側壁部のうち前記既設管の中心軸線から遠い一方の側壁部を貫通し、前記第１支保工の一端が前記一方の側壁部に対峙する前記既設管の一方の側壁面に当たり、前記第１支保工の他端が前記更生管における前記一対の側壁部のうちの他方の側壁部に、前記更生管の軸線方向に延びる腹起し部材を介して当たる第１支保工設置工程と、
次に、前記第１ジャッキにより前記第１支保工を伸ばすことにより、前記更生管の前記他方の側壁部を押して前記既設管の他方の側壁面に向かって移動させ、これにより前記更生管の中心軸線を上方から見て前記既設管の中心軸線と一致させるか近づける矯正工程と、
を備えたことを特徴とする。
【０００９】
上記方法によれば、湾曲した既設管に更生管を配置する場合であっても、更生管の中心軸線を既設管の中心軸線と一致させるか近づけるので、裏打ち材を左右に略均等に充填することができ、高い強度を確保することができる。
【００１０】
好ましくは、前記更生管の前記一方の側壁部が前記既設管の前記一方の側壁面に当り、前記更生管の断面形状が縦長の楕円に変形している状態で、前記矯正工程を実行することにより、前記更生管の断面形状を元の円または円に近い形状に戻す。
上記方法によれば、更生管の断面形状を円又は円に近い状態にすることにより、十分な流通断面積を確保できる。
【００１１】
好ましくは、さらに前記矯正工程に続いて、第２ジャッキを備えた伸縮可能な第２支保工を、前記第１支保工と交叉するようにして垂直または傾斜した姿勢で前記更生管内に設置し、この設置状態で、前記第２支保工が前記更生管の上壁部を貫通し、前記第２支保工の上端が前記既設管の上壁面に当たり、前記第２支保工の下端が前記更生管の底壁部に、前記更生管の軸線方向に延びる他の腹起し部材を介して当たり、前記第１支保工と前記第２支保工がクランプにより連結される第２支保工設置工程を備えている。
上記方法によれば、裏打ち充填の際に、第１、第２支保工により更生管の変形を抑制できるとともに、更生管を安定して支持でき、浮き上がりも防止することができる。
【００１２】
好ましくは、前記第１支保工が水平に配置され、前記第２支保工が垂直に配置され、さらに、前記第２支保工設置工程に続いて、
前記第１ジャッキにより前記第１支保工を徐々に縮めながら、前記第２ジャッキにより前記第２支保工を伸ばすことにより、前記更生管の底壁部を前記既設管の底壁面に押し付け、前記更生管の断面形状を縦長の楕円形状にする更生管底壁部固定工程と、
前記第１ジャッキをさらに縮めて前記第１支保工による前記更生管の拘束を解除し、前記クランプによる前記第１支保工と前記第２支保工の連結状態を解除して前記第１支保工を下方に移動させることにより、前記更生管の断面形状を元の円または円に近い形状に戻す更生管形状復元工程と、
前記第１支保工の前記一端を前記既設管の前記一方の側壁面に当てるとともに、前記第１ジャッキにより前記第１支保工を伸ばして、前記第１支保工の前記他端を前記腹起し部材を介して前記更生管の前記他方の側壁部に当てる更生管補強工程と、
を備えている。
上記方法によれば、更生管の底壁部を既設管に固定することにより、裏打ち材充填の際に更生管をより安定して支持することができる。
【００１３】
好ましくは、前記クランプの前記第１支保工を把持する第１把持部と前記第２支保工を把持する第２把持部が相対回動可能であり、前記第１支保工設置工程において前記第１支保工が水平に設置され、前記第２支保工設置工程において前記第２支保工が垂直に設置され、さらに、前記第２支保工設置工程に続いて、
前記第１ジャッキにより前記第１支保工を徐々に縮めながら、前記第２ジャッキにより前記第２支保工を伸ばすことにより、前記更生管の底壁部を前記既設管の底壁面に押し付け、前記更生管の断面形状を縦長の楕円形状にする更生管底壁部固定工程と、
前記第１支保工を前記クランプを中心に回動させるとともに前記第１ジャッキにより長さを調節ことにより、前記第１支保工の前記一端を前記クランプより高い位置で前記既設管の前記一方の側壁面に当てるとともに、前記更生管の前記他端を前記クランプより低い位置で前記腹起し部材を介して前記更生管の前記他方の側壁部に当て、これにより、前記更生管を元の円または円に近い形状に戻すとともに前記更生管を補強する更生管形状復元・補強工程と、
を備えている。
上記方法によれば、比較的簡易な工程により縦長の楕円に変形された更生管を元の円または円に近い形状に戻すことができるとともに、裏打ち材充填の際に更生管を安定して支持することができる。
【００１４】
前記第１支保工設置工程において、前記第１支保工が水平面に対して４５°未満の角度で傾斜して配置され、前記第１支保工の前記一端が前記更生管の中心軸線より高い位置で前記既設管の前記一方の側壁面に当り、前記第１支保工の前記他端が前記更生管の中心軸線より低い位置で前記腹起し部材を介して前記更生管の前記他方の側壁部に当り、
前記第２支保工設置工程において、前記第２支保工が垂直面に対して４５°未満の角度で傾斜するとともに前記第１支保工と直交する姿勢で設置される。
上記方法によれば、更生管をその中心軸線より高い２箇所で既設管に対して支持するので、裏打ち材の充填の際に、更生管を安定して支持することができる。
【００１５】
本発明の他の態様は、既設管とこの既設管の内側に配置された更生管との間に裏込め材を充填する前に、前記更生管内に設置される支保工装置において、
第１ジャッキを備えた水平の第１支保工と、第２ジャッキを備えた垂直の第２支保工と、前記第１支保工と前記第２支保工を連結するクランプとを備え、前記第１支保工が前記更生管において水平方向に対峙する一対の側壁部のうちの一方の側壁部を貫通し、前記第１支保工の一端が前記一方の側壁部と対峙する前記既設管の一方の側壁面に当り、前記第１支保工の他端が前記更生管の他方の側壁部に、前記更生管の軸線方向に延びる腹起し部材を介して当たり、前記第２支保工が前記更生管の上壁部を貫通し、前記第２支保工の上端が前記既設管の上壁面に当り、前記第２支保工の下端が前記更生管の底壁部に、前記更生管の軸線方向に延びる他の腹起し部材を介して当たっていることを特徴とする。
上記構成によれば、裏打ち材充填の際に、更生管を支持できるとともに、第１支保工により既設管の中心軸線に対する更生管の水平方向の偏倚を矯正することができる。
好ましくは、前記第２支保工の下端が前記更生管の底壁部を前記既設管の底壁面に押し付けて固定している。
【００１６】
本発明のさらに他の態様は、既設管とこの既設管の内側に配置された更生管との間に裏込め材を充填する前に、前記更生管内に設置される支保工装置において、
第１ジャッキを備え水平面に対して傾斜した第１支保工と、第２ジャッキを備えた垂直の第２支保工と、前記第１支保工と前記第２支保工を連結するクランプとを備え、前記クランプは、前記第１支保工を把持する第１把持部と前記第２支保工を把持する第２把持部を有し、前記第１把持部と前記第２把持部が相対回動可能であり、前記第１支保工が前記更生管において水平方向に対峙する一対の側壁部のうちの一方の側壁部を前記クランプより高い位置で貫通し、前記第１支保工の一端が前記クランプより高い位置で前記一方の側壁部と対峙する前記既設管の一方の側壁面に当り、前記第１支保工の他端が前記クランプより低い位置で前記更生管の他方の側壁部に、前記更生管の軸線方向に延びる腹起し部材を介して当たり、前記第２支保工が前記更生管の上壁部を貫通し、前記第２支保工の上端が前記既設管の上壁面に当り、前記第２支保工の下端が前記更生管の底壁部に、前記更生管の軸線方向に延びる他の腹起し部材を介して当たっている。
上記構成によれば、裏打ち材充填の際に、更生管を支持できるとともに、第１支保工により既設管の中心軸線に対する更生管の水平方向の偏倚を矯正することができる。
【００１７】
本発明のさらに他の態様は、既設管とこの既設管の内側に配置された更生管との間に裏込め材を充填する前に、前記更生管内に設置される支保工装置において、
第１ジャッキを備え水平面に対して４５°未満の角度で傾斜した第１支保工と、第２ジャッキを備え垂直面に対して４５°未満の角度で傾斜するとともに前記第１支保工と直交する第２支保工と、前記第１支保工と前記第２支保工を連結するクランプとを備え、前記第１支保工は、前記更生管において水平方向に対峙する一対の側壁部のうちの一方の側壁部を、前記クランプより高い位置で貫通し、前記第１支保工の一端が前記クランプより高い位置で前記既設管の一方の側壁面に当り、前記第１支保工の他端が前記クランプより低い位置で前記更生管の他方の側壁部に、前記更生管の軸線方向に延びる腹起し部材を介して当たり、前記第２支保工は、前記更生管の上壁部を貫通し、前記第２支保工の上端が前記既設管の上壁面に当たり、前記第２支保工の下端が前記更生管の底壁部に、前記更生管の軸線方向に延びる腹起し部材を介して当たっている。
上記構成によれば、裏打ち材充填の際に、更生管を支持できるとともに、第１支保工により既設管の中心軸線に対する更生管の水平方向の偏倚を矯正することができる。
【発明の効果】
【００１８】
本発明によれば、既設管の平面形状が湾曲していて更生管の中心軸線が既設管の中心軸線に対して水平方向に偏倚していても、更生管を矯正することにより、裏込め材を左右に略均等に充填することができ、高い強度を確保することができる。
【図面の簡単な説明】
【００１９】
【図１】老朽化した既設管の湾曲部と、この既設管の内側に配置された更生管を示す平断面図であり、本発明に係る支保工装置を設置する前の状態で示す。
【図２】図１のII-II線に沿う横断面図であり、更生管が既設管に当たりその断面形状が縦長の楕円形に変形している状態を示す。
【図３】本発明の第１実施形態において、更生管内に水平をなす第１支保工を設置する工程を示す横断面図である。
【図４】前記第１支保工を伸ばして、更生管の位置および断面形状を矯正する工程を示す横断面図である。
【図５】更生管内に垂直をなす第２支保工を設置し、この第２支保工をクランプにより第１支保工に連結する工程を示す横断面図である。
【図６】前記第２支保工を伸ばし前記第１支保工を縮めることにより、更生管の底壁部を既設管の底壁面に押し付けるとともに、更生管を縦長の楕円形状に変形させる工程を示す横断面図である。
【図７】前記第１支保工をさらに縮めるとともに下方に移動させることにより、第１支保工による更生管の拘束を解除し、更生管の断面形状を円形に戻す工程を示す横断面図である。
【図８】前記第１支保工を伸ばし、更生管を前記第１支保工と第２支保工で拘束することにより、更生管を補強する工程を示す横断面図である。
【図９】前記第１支保工および第２支保工に装備されたジャッキを示す分解斜視図である。
【図１０】前記第１支保工と第２支保工を把持するクランプを示す斜視図である。
【図１１】本発明の第２実施形態に係る支保工装置により、図７、図８の工程の代わりに実行される工程を示す横断面図である。
【図１２】第２実施形態で用いられるクランプの斜視図である。
【図１３】本発明の第３実施形態において、傾斜した第１支保工を既設管内に設置する工程を示す断面図である。
【図１４】前記第１支保工を伸ばして、更生管の位置および断面形状を矯正する工程を示す横断面図である。
【図１５】更生管内に前記第１支保工と交叉して傾斜する第２支保工を設置し、この第２支保工をクランプにより第１支保工に連結する工程を示す横断面図である。
【発明を実施するための形態】
【００２０】
以下、本発明の第１実施形態を図１〜図１０を参照しながら説明する。図１において符号１は、地中に埋設された下水道管等の老朽化した既設管を示す。既設管１は例えばコンクリート管を接続することにより構成されており、平面形状が湾曲している（上から見て湾曲している）。
【００２１】
既設管１内には既設管１に沿って延びる更生管２が配置されている。更生管２は、例えば樹脂製の帯状部材を螺旋状に巻き、隣接する巻き部分の縁部同士を直接または連結部材を介して嵌合し連結することにより構成されている。ただし、セグメントを組み立てる等、他の方法で更生管２を構築してもよい。帯状部材を連結する際には、製管機を用いるのが好ましい。
【００２２】
更生管２は、自然状態では断面形状が円をなして真直に延びるため、湾曲した既設管１に倣わず、図２に示すようにその中心軸線２ｘが既設管１の中心軸線１ｘ方向から左右方向に偏倚する。既設管１の左右いずれかの一方の側壁面に当たり、その断面形状が潰れて縦長の楕円になることもある。
【００２３】
更生管２を既設管１内に配置した後、既設管１と更生管２との間にモルタル等の裏打ち材（図示しない）が充填されるが、この充填前に更生管２の位置および断面形状を矯正し、さらに裏打ち材の充填圧力に対抗するために更生管２を補強する。以下、詳述する。
【００２４】
第１支保工設置工程
最初に、図３に示すように、第１支保工１０を更生管２内に軸線方向に所定間隔をおいて水平に設置する。第１支保工１０は、鋼管等からなるパイプ１１と第１ジャッキ１５とを備えている。
【００２５】
図９に示すように、第１ジャッキ１５は、第１部材１６と、第２部材１７と、調節部材１８とを有している。
第１部材１６は、受板１６ａと、この受板１６ａに一端が固定された筒１６ｂとを有している。筒１６ｂがパイプ１１に挿入されている。
第２部材１７は、支持板１７ａと、この支持板１７ａに一端が固定されたねじ棒１７ｂとを有している。このねじ棒１７ｂが第１部材１６の支持筒１６ｂに挿入されるとともにパイプ１１に挿入されている。支持板１７ａには、図示しない支持金具を介して腹起し部材３（図３参照）が支持されている。この腹起し部材３は、更生管２の軸線方向に延び、間隔を置いて配置された第１支保工１０間に架け渡されている。
調節部材１８は、ねじ棒１７ｂに螺合されるナット部１８ａと、このナット部１８ａから径方向外側に突出する操作部１８ｂとを有している。
【００２６】
図３に戻って説明すると、更生管２の左右の側壁部のうち既設管１の中心軸線１ｘ方向から遠い方の側壁部（図３において左側の側壁部）に貫通孔２ａを形成する。第１支保工１０を水平にして、更生管２の貫通孔２ａに第１支保工１０のパイプ１１を通し、このパイプ１１の一端１１ａ（第１ジャッキ１５とは反対側の端；第１支保工１０の一端）を、既設管１の左側の側壁面に当てた状態で、第１ジャッキ１０を伸ばしてその支持板１７ａ（第１支保工１０の他端）を、腹起し部材３を介して更生管２の反対側（右側）の側壁部に当てる。
【００２７】
矯正工程
次に、第１ジャッキ１５を更生管２の弾性に抗してさらに伸ばす。これにより図４に示すように、更生管２の右側の側壁部が腹起し部材３に押されて右方向に移動する。さらに第１ジャッキ１５を伸ばすと、更生管２の左側の側壁部が既設管１の左側の側壁面から離れる。パイプ１１にはその一端１１ａからの距離を測るための目盛１１ｂ（図４にのみ示す）が付されており、更生管１１の内周面が目盛１１ｂにおいて下記式で表す距離Ｌを示すまで第１ジャッキ１５を伸ばす。
Ｌ＝（Ｄ１−Ｄ２）／２
ただし、Ｄ１は既設管１の内径、Ｄ２は更生管２の内径である。
その結果、上から見て更生管２の中心軸線２ｘが既設管１の中心軸線１ｘ方向と一致するか近づき、更生管２の断面形状は自身の弾性により元の円形状またはそれに近い状態に戻る。
【００２８】
第２支保工設置工程
次に、図５に示すように、第２支保工２０を更生管２内に軸線方向に所定間隔をおいて垂直に設置する。第２支保工２０は、パイプ２１と第２ジャッキ１５’とを備えている。第２ジャッキ１５’は、第１ジャッキ１５と同一構造であるので各構成要素に同番号を付してその詳細な説明を省略する。
【００２９】
更生管２の上壁部に貫通孔２ｂを形成する。第２ジャッキ１５’を下にして第２支保工２０を垂直にし、更生管２の貫通孔２ｂに第２支保工２０のパイプ２１を通し、このパイプ２１の上端２１ａ（第２支保工２０の上端）を、既設管１の上壁面に当てる。そして、クランプ３０により、第１支保工１０と第２支保工２０とを９０°交叉させた状態で連結する。さらに、第２ジャッキ１５’を伸ばし、支持板１７ａ（第２支保工２０の下端）を腹起し部材４を介して更生管２の底壁部に当てる。
【００３０】
クランプ３０は公知のものであり、同一構造をなす第１把持部３１と第２把持部３２とを有している。これら把持部３１，３２は、中心軸線が互いに９０°をなして交叉する把持穴３１ａ，３２ａを有しており、それぞれ個別に着脱可能に第１支保工１０と第２支保工２０のパイプ１１，２１を把持できる。
【００３１】
更生管底壁部固定工程
図６に示すように、さらに第２ジャッキ１５’を伸ばすことにより、腹起し部材４が更生管２の底壁部を既設管１の底壁面に押し付け、更生管２を既設管１に固定する。第２ジャッキ１５’を伸ばす過程で、第１支保工１０の第１ジャッキ１５を徐々に縮めることにより、更生管２の縦長の楕円への変形を可能にするとともに、この変形の過程で更生管２を安定して支持する。
【００３２】
更生管形状復元工程
次に図７に示すように、さらに第１ジャッキ１５を縮めるとともに、クランプ３０の把持部３１，３２と第１支保工１０および第２支保工２０の連結を緩めて、第１支保工１０を下方に移動させることにより、第１支保工１０による更生管２の拘束を解除する。これにより、更生管２は、底壁部が第２支保工２０により既設管１に固定された状態で、元の円形状に復帰する。元の円形状については、既設管１の湾曲部分において更生管２が形成された直後の更生管断面形状であってもよいし、湾曲部分ではない既設管１の直線部分における更生管２の断面形状であってもよい。
【００３３】
更生管補強工程
次に図８に示すように、第１支保工１０を、更生管２の中心軸線２ｘを通る高さで水平姿勢にしたまま、パイプ１１の一端１１ａを既設管１の左側の側壁面に再び当て、クランプ３０により第１支保工１０と第２支保工２０を再び連結する。さらに第１ジャッキ１５を伸ばすことにより、腹起し部材３を更生管２の右側の側壁部に当てる。これにより、支保工装置５が完成し、更生管２が補強される。
【００３４】
裏打ち材充填工程
次に、モルタル等の裏打ち材（図示しない）を既設管１と更生管２との間の空間に充填する。この際、第１支保工１０により更生管２の左側の側壁部を貫通支持するとともに右側の側壁部を腹起し部材３を介して拘束し、第２支保工２０により更生管２の上壁部を貫通支持するとともに底壁部を腹起し部材４を介して既設管１の底壁面に固定しているので、裏打ち材の充填圧による更生管２の変形を防止できるとともに、更生管２の浮き上がりを防止することができる。
更生管２が上から見て既設管１の中心軸線１ｘ又はその近傍に位置矯正されているため、裏打ち材が左右略均等に充填され、高い強度を確保することができる。
また、更生管２の断面形状が円または円に近い形状に矯正されているので、流通断面積を十分に確保することができる。
【００３５】
次に本発明の他の実施形態について説明する。これら実施形態において先行する実施形態に対応する構成部には同番号を付してその詳細な説明を省略する。
図１１に示す第２実施形態では、図１２に示すクランプ３０’を用いる。このクランプ３０’は、第１実施形態で用いたクランプ３０と同様に第１把持部３１と第２把持部３２とを有するが、これら第１把持部３１と第２把持部３２が相対的に回動可能である点がクランプ３０と異なる。第１把持部３１と第２把持部３２との対向片同士が回動可能に連結されている。これにより把持穴３１ａ，３２ａの交叉角度、ひいては第１支保工１０と第２支保工２０との交叉角度を変えることができる。
【００３６】
第２実施形態は、第１実施形態のクランプ３０の代わりに把持部３１，３２が相対回動可能なクランプ３０’を用いること、第１支保工１０が貫通する更生管２の貫通孔２ａ’が周方向に延びる長穴であることを除いて、図３に示す第１支保工設置工程、図４に示す矯正工程、図５に示す第２支保工設置工程、図６に示す更生管底壁部固定工程と同様の工程を実行する。
【００３７】
更生管形状復元・補強工程
更生管底壁部固定工程に続いて、図１１に示すように、クランプ３０’と第１支保工１０および第２支保工２０との連結を緩めて第１支保工１０を下方に移動させるとともに、第１支保工１０を水平姿勢から回しながら第１ジャッキ１５を伸ばし、更生管２の中心軸線においてクランプ３０’により第１支保工１０を第２支保工２０に再連結する。第１支保工１０は、クランプ３０’より高い位置で、更生管２の左側の側壁部を貫通している。更生管２のパイプ１１の一端１１ａは、クランプ３０’より高い位置で既設管１の左側の側壁面に当たり、腹起し部材３がクランプ３０’より低い位置で更生管２の右側の側壁部に当たっている。これにより、更生管２の断面形状が円に復元されるとともに、支保工装置５により更生管１０が補強され、裏打ち材充填の準備が完了する。
なお、第２実施形態において、クランプ３０’により連結位置を移動させずに、第１支保工１０を回動させるとともに第１ジャッキ１５を伸ばしてもよい。
【００３８】
図１３〜図１５は、本発明の第３実施形態を示す。この実施形態では、図１３に示す第１支保工設置工程において、第１支保工１０を水平面から傾斜させて更生管２内に設置する。この傾斜角度は４５°未満とするのが好ましく、例えば約３０°である。他は第１実施形態と同様である。
次に、図１４に示す矯正工程において、第１支保工１０の第１ジャッキ１５を伸ばして更生管２の位置および断面形状を矯正する。
次に、図１５に示す第２支保工設置工程において、第２支保工２０を垂直面から傾斜させて設置する。この傾斜角度は垂直面に対して４５°未満とするのが好ましく、例えば約３０°傾斜しており、第１支保工１０と直交している。他は第１実施形態と同様である。
【００３９】
第３実施形態では、図１５に示す第２支保工設置工程の後で、裏打ち材を充填する。この実施形態では、更生管２の中心軸線より高い位置において２箇所で更生管２を既設管１に対して支持するので、裏打ち材の充填の際に更生管２を安定して支持することができる。
【００４０】
本発明は、前記実施形態に限定されるものではなく、その精神を逸脱しない範囲において種々の改変をなすことができる。
第１実施形態において図５に示す第２支保工設置工程の後で、裏打ち材を充填してもよい。
【産業上の利用可能性】
【００４１】
本発明は、下水道管等の老朽化した既設管内に配された更生管の位置矯正等に適用可能である。
【符号の説明】
【００４２】
１  既設管
１ｘ  既設管の中心軸線
２  更生管
２ａ，２ａ’，２ｂ  貫通孔
２ｘ  更生管の中心軸線
３，４  腹起し部材
５  支保工装置
１０  第１支保工
１１ａ  パイプの一端（第１支保工の一端）
１５  第１ジャッキ
１５’  第２ジャッキ
１７ａ  第１ジャッキの支持板（第１支保工の他端）
１７ａ  第２ジャッキの支持板（第２支保工の下端）
２０  第２支保工
２１ａ  パイプの上端（第２支保工の上端）
３０，３０’  クランプ
３１  第１把持部
３２  第２把持部
【図１】
2020090878.tif 000003
【図２】
2020090878.tif 000004
【図３】
2020090878.tif 000005
【図４】
2020090878.tif 000006
【図５】
2020090878.tif 000007
【図６】
2020090878.tif 000008
【図７】
2020090878.tif 000009
【図８】
2020090878.tif 000010
【図９】
2020090878.tif 000011
【図１０】
2020090878.tif 000012
【図１１】
2020090878.tif 000013
【図１２】
2020090878.tif 000014
【図１３】
2020090878.tif 000015
【図１４】
2020090878.tif 000016
【図１５】
2020090878.tif 000017